(57)【要約】【課題】バッテリーの大きさに合わせて器具本体の厚みを可変とし、材料の削減及び外観の向上を図った誘導灯を提供する。【解決手段】光源３１と、光源３１を点灯させる点灯回路５と、一面が開口した中空箱型の器具本体１と、表示パネル４１及び光源３１の光を表示パネル４１に導く導光板４２を有し、器具本体１の開口１１に覆設する表示ユニット４と、器具本体１内に配設されて点灯回路５に電源を供給するバッテリー６とを備え、前記バッテリー６は、２つ以上の大きさの異なるバッテリー６の内のいずれかが用いられ、前記器具本体１は、バッテリー６の大きさに合わせて、開口１１に直交する方向の厚みを変化させる厚み可変手段を有する【選択図】図１
2010146763.tif 000002
【特許請求の範囲】
【請求項１】
光源と、
光源を点灯させる点灯回路と、
一面が開口した中空箱型の器具本体と、
表示パネル及び光源の光を表示パネルに導く導光板を有し、器具本体の開口に覆設する表示ユニットと、
器具本体内に配設されて点灯回路に電源を供給するバッテリーとを備え、
前記バッテリーは、２つ以上の大きさの異なるバッテリーの内のいずれかが用いられ、
前記器具本体は、バッテリーの大きさに合わせて、開口に直交する方向の厚みを変化させる厚み可変手段を有することを特徴とする誘導灯。
【請求項２】
前記厚み可変手段は、器具本体の開口周縁に枠状のスペーサが着脱自在に設けられる構成を有することを特徴とする請求項１記載の誘導灯。
【請求項３】
前記器具本体は第一の組み付け手段を有し、前記表示ユニットは第二の組み付け手段を有し、第一の組み付け手段と第二の組み付け手段とは互いに着脱自在であり、前記スペーサは、第一、第二の組み付け手段を有することを特徴とする請求項２記載の誘導灯。
【請求項４】
前記バッテリーが、器具本体とスペーサの各内面に当接することを特徴とする請求項２または３記載の誘導灯。
【発明の詳細な説明】
【技術分野】
【０００１】
本発明は、誘導灯に関するものである。
【背景技術】
【０００２】
従来よりこの種の誘導灯として図５に示すようなものが提供されている。以下、図５における上下左右を基準とし、上下左右方向と直交する方向を前後方向とする。
【０００３】
従来から用いられている誘導灯Ｂは、一面が開口した中空直方体型の器具本体１０１と、光源３１を有し器具本体１０１の開口１１１の上端側に覆設するランプユニット３と、表示パネル４１及び光源３１から照射される光を表示パネル４１に導く導光板４２を有し、開口１１１の下端側に覆設する表示ユニット４と、器具本体１０１内に配設されて光源３１を点灯させる点灯回路５と、器具本体１０１内に配設されて点灯回路５に電源を供給するバッテリー６とを備える（例えば、特許文献１参照）。
【０００４】
器具本体１０１は、前面に略矩形状の開口１１１が設けられた略矩形直方体状に合成樹脂によって形成されている。そして、器具本体１０１の上壁及び後壁には、点灯回路５に接続される商用電源からの図示しない電源電線を器具本体１０１内に挿入する為のノックアウト部１ａ、１ｂが形成されており、いずれか一方が取り除かれて使用されている。
【０００５】
更に、器具本体１０１の左右側壁の内面には、それぞれ上下方向に所定の間隔を空けて２つの係合突部１ｃがそれぞれ形成されている。
【０００６】
ランプユニット３は、光源３１と、光源３１を支持するユニット本体３０とを備え、ユニット本体３０が器具本体１０１の開口１１１の上端側に取り付けられる。
【０００７】
ユニット本体３０は、下面に開口を有する略直方体状に形成されており、左右両端の後端からはそれぞれ後方に向けて係止突部３０ａが形成されており、当該係止突部３０ａが器具本体１０１の左右側壁の内面側上端に形成された係止部１ｄに係止されることでランプユニット３が器具本体１０１に固定される。
【０００８】
光源３１は、所謂直管型の冷陰極蛍光灯が用いられる。なお、当該光源３１とユニット本体３０との間には、光源３１の光を反射する下方が開放した断面略Ｕ字状の反射板が設けられていてもよい。
【０００９】
表示ユニット４は、前面側に絵柄が表記されたアクリル樹脂製の表示パネル４１及び、当該表示パネル４１の後面側に設けられ、上端が光源３１の下方に対向配置されて当該光源３１の光を表示パネル４１へ導く導光板４２を有し、器具本体１０１の開口１１１の下端側に覆設される。
【００１０】
また、導光板４２の後面の左右両端側には、それぞれ上下方向に所定の間隔を空けて２つの略Ｌ字状の係合部４２ａが形成されている。そのため、表示ユニット４を器具本体１０１の前面に沿って上下方向にスライドさせることで、当該係合部４２ａが器具本体１０１の係合突部１ｃに係合し、表示ユニット４は器具本体１０１に組みつけられる。
【００１１】
点灯回路５は、器具本体１０１内の右下側に配設され、通常は図示しない商用電源により給電されて入力電圧を所望の電源電圧に変換した後に光源３１に出力する。また、商用電源の停電時には、バッテリー６より給電された入力電圧を所望の電源電圧に変換した後に光源３１に出力する。
【００１２】
バッテリー６は、２つの２次電池６１及び、当該２つの２次電池６１を収納する略直方体状の電池ケース６２とを備え、器具本体１０１内の左下側に配設されている。そして、電池ケース６２の右端には、２次電池６１の両極に接続された端子部６２ａが形成されており、当該端子部６２ａが点灯回路５に接続されている。
【００１３】
ここで、上記構成を備える誘導灯Ｂは、消防法の規制により非常点灯時の明るさや非常点灯時間によって数種類に分類され、内蔵されるバッテリー６は点灯時間が２０分用のバッテリー６Ａと、バッテリー６Ａよりもサイズの大きい点灯時間が６０分用のバッテリー６Ｂとの２種類に分類されている。なお、バッテリー６Ａとバッテリー６Ｂとを区別しないときは、バッテリー６と称す。また、バッテリー６Ａは、２つの２次電池６１Ａと当該２つの２次電池６１Ａを内蔵する電池ケース６２Ａとから構成され、バッテリー６Ｂは、２つの２次電池６１Ｂと当該２つの２次電池６１Ｂを内蔵する電池ケース６２Ｂとから構成されている。
【００１４】
そして、図６（ａ）、（ｂ）に示すように、従来から用いられている誘導灯Ｂでは、器具本体１０１をサイズの大きい６０分用のバッテリー６Ｂを収納可能なサイズに統一して設計することで、バッテリー６Ａ及びバッテリー６Ｂのいずれのバッテリー６であっても収納可能な厚みとしている。
【特許文献１】特開２００８−１０３１２４号公報
【発明の開示】
【発明が解決しようとする課題】
【００１５】
そして、昨今では、環境への配慮、材料費の高騰等の点から資源の有効活用、材料の削減が強く望まれている。また、生産性の点から部品品種の削減についても強く望まれている。
【００１６】
しかしながら、市場においては、２０分用のバッテリー６Ａを備える誘導灯が大部分を占めているため、図６（ａ）に示すようにバッテリー６Ａのサイズに対して必要以上に大きなサイズの器具本体１０１が用いられている場合が多く、必要以上に材料を消費している。
【００１７】
更に、光源３１のＬＥＤ化等によって誘導灯Ｂの薄型化も強く要望されていることから、外観の面からもサイズの小さな２０分用のバッテリー６Ａを備える誘導灯は、バッテリー６Ａを内蔵可能な必要最低限の厚みであることが望ましい。
【００１８】
本発明は、上記事由に鑑みてなされたものであり、その目的は、バッテリーの大きさに合わせて器具本体の厚みを可変とし、材料の削減及び外観の向上を図った誘導灯を提供することにある。
【課題を解決するための手段】
【００１９】
請求項１の発明は、光源と、光源を点灯させる点灯回路と、一面が開口した中空箱型の器具本体と、表示パネル及び光源の光を表示パネルに導く導光板を有し、器具本体の開口に覆設する表示ユニットと、器具本体内に配設されて点灯回路に電源を供給するバッテリーとを備え、前記バッテリーは、２つ以上の大きさの異なるバッテリーの内のいずれかが用いられ、前記器具本体は、バッテリーの大きさに合わせて、開口に直交する方向の厚みを変化させる厚み可変手段を有することを特徴とする。
【００２０】
この発明によれば、バッテリーのサイズに合わせて器具本体のサイズを変更できるので必要以上な材料の消費を防止することができる。
【００２１】
また、器具本体の厚みを必要最小限のサイズとすることができるので薄型化を図ることができ外観が向上する。
【００２２】
請求項２の発明は、請求項１の発明において、前記厚み可変手段は、器具本体の開口周縁に枠状のスペーサが着脱自在に設けられる構成を有することを特徴とする。
【００２３】
この発明によれば、スペーサを組み付けることで、器具本体の厚みを容易に変更することができる。
【００２４】
請求項３の発明は、請求項２の発明において、前記器具本体は第一の組み付け手段を有し、前記表示ユニットは第二の組み付け手段を有し、第一の組み付け手段と第二の組み付け手段とは互いに着脱自在であり、前記スペーサは、第一、第二の組み付け手段を有することを特徴とする。
【００２５】
この発明によれば、既存の部品を変更することなく容易にスペーサを取り付けることができ、部品の共通化を図ることができる。
【００２６】
請求項４の発明は、請求項２または３の発明において、前記バッテリーが、器具本体とスペーサの各内面に当接することを特徴とする。
【００２７】
この発明によれば、スペーサと器具本体との接続部の強度を向上させることができる。
【発明の効果】
【００２８】
以上説明したように、本発明では、バッテリーの大きさに合わせて器具本体の厚みを可変とし、材料の削減及び外観の向上を図った誘導灯を提供するという効果がある。
【発明を実施するための最良の形態】
【００２９】
以下、本発明の実施の形態を図面に基づいて説明する。
【００３０】
（実施形態１）
本実施形態の誘導灯Ａについて図１，２を用いて説明を行う。但し、図５に示す従来技術と共通する構造については、共通の符号を付して説明を省略する。なお、図１における上下左右を基準とし、上下左右方向と直交する方向を前後方向として説明を行う。
【００３１】
本実施形態における誘導灯Ａと、図５に示す従来例の誘導灯Ｂとで異なる点は、器具本体１の厚み、及び器具本体１の開口１１周縁にスペーサ２が着脱自在に設けられる点である。
【００３２】
器具本体１は、前面が開口した略中空直方体状に形成され、６０分用のバッテリー６Ｂよりもサイズの小さな２０分用のバッテリー６Ａを内蔵可能な必要最低限の厚みに設定されている。
【００３３】
スペーサ２は、合成樹脂によって略矩形枠状に形成され、左右側壁の内面の前端側には、器具本体１に形成された係止突部１ｃと略同形状を有する係止突部２ａが形成されている。また、スペーサ２の左右側壁の内面の後端側には、導光板４２に形成された係止部４２ａと略同形状を有する係止部２ｂが、上下方向に所定の間隔を空けて形成されている。
【００３４】
従って、スペーサ２を器具本体１の前面に沿ってスライドさせることで、スペーサ２の係止部２ｂを器具本体１の係止突部１ｃに係止させることができ、器具本体１にスペーサ２を組み付けることができる。
【００３５】
更に、スペーサ２の前面に沿って表示ユニット３をスライドさせることで、スペーサ２の係止突部２ａに導光板４２の係止部４２ａを係止させることができ、スペーサ２に表示ユニット３を組み付けることができる。
【００３６】
また、スペーサ２の左右側壁の内面側上端には、器具本体１に形成された係止部１ｄと略同形状を有する係止部２ｃが形成されており、当該係止部２ｃにユニット本体３０の係止突部３０ａが係止されることで、スペーサ２にランプユニット３を組み付けることができる。
【００３７】
これにより、図２（ａ）に示すように、器具本体１にサイズの小さい２０分用のバッテリー６Ａを内蔵する際には、スペーサ２を取り付けること無く器具本体１にランプユニット３及び表示ユニット４を組み付けることで、誘導灯Ａを必要最低限の厚みとすることができる。また、器具本体１にサイズの大きな６０分用のバッテリー６Ｂを内蔵する際には、図２（ｂ）に示すように器具本体１にスペーサ２を組み付けることで器具本体１の厚みを大きくすることができ、２０分用のバッテリー６Ａよりもサイズの大きな６０分用のバッテリー６Ｂを収納可能な必要最低限の厚みにすることができる。
【００３８】
以上の構成により、本実施形態の誘導灯Ａは、スペーサ２が着脱自在に設けられることでバッテリー６のサイズに合わせて器具本体１の厚みを変更でき、必要以上な材料の消費を防止することができる。
【００３９】
また、内蔵するバッテリー６の大きさに対応して誘導灯Ａを必要最低限の厚さにすることができ外観の向上を図ることができる。
【００４０】
更に、図４に示すように、器具本体１とスペーサ２との各内面にバッテリー６の外面を当接した状態で配設することで、器具本体１とスペーサ２の強度を高めることができる。
【図面の簡単な説明】
【００４１】
【図１】本発明の実施形態における誘導灯の分解斜視図を示す。
【図２】（ａ）、（ｂ）は、同上における誘導灯の断面図を示し、（ａ）は、スペーサ非装着時、（ｂ）は、スペーサ装着時を示す。
【図３】（ａ）、（ｂ）は、同上における誘導灯の概略構成図を示し（ａ）は、スペーサ非装着時、（ｂ）は、スペーサ装着時を示す。
【図４】同上における誘導灯の断面概略図を示す。
【図５】従来例における誘導灯の分解斜視図を示す。
【図６】（ａ）、（ｂ）は、同上における誘導灯の断面図を示し、（ａ）は、２０分用のバッテリー装着時、（ｂ）は、６０分用のバッテリー装着時を示す。
【符号の説明】
【００４２】
Ａ  誘導灯
１  器具本体
２  スペーサ
３  ランプユニット
４  表示ユニット
５  点灯回路
６  バッテリー
【図１】
2010146763.tif 000003
【図２】
2010146763.tif 000004
【図３】
2010146763.tif 000005
【図４】
2010146763.tif 000006
【図５】
2010146763.tif 000007
【図６】
2010146763.tif 000008